(57)【特許請求の範囲】
【請求項１】
水道管に接続され水が通る水管と、前記水管に接続され水を止水する止水手段と、前記止水手段に接続され水を浄水する浄水手段と、前記浄水手段に接続され浄水吐出側あるいは給水管側に流路を切り換える流路切り換え手段と、前記給水管に接続され湯を貯める貯湯容器と、前記給水菅に接続され貯湯容器内上部の貯水容器より底部に水を通し吐出する案内水管と、前記貯湯容器の水を加熱する加熱手段と、湯温を検知す温度検知手段と、湯を吐出部まで移送するポンプと、蒸気を抜く開口部と、第１の所定の水位を検知する第１水位検知手段および、前記温度検知手段の出力と前記第１水位検知手段の出力とを入力し、前記止水手段と前記流路切り換え手段と前記加熱手段と前記ポンプを制御する制御手段とを備え、前記制御手段は運転開始時に所定水位まで給水し湯温が前記第１の所定温度になるまで出湯させない浄水給湯器であって、前記案内水管は、底部に所定の流路断面積を有し、前記貯水容器近傍に空気抜き手段を有する浄水給湯器。
【発明の詳細な説明】
【０００１】
【発明の属する技術分野】
本発明は家庭や事務所などで使用する浄水後の湯あるいは水を供給するための浄水給湯器に関する物である。
【０００２】
【従来の技術】
従来、電気を用いて一定温度に湯の温度を上昇させ貯湯する家庭用機器としてはジャーポットがある。また水道に直結して水を浄水する浄水器がある。
【０００３】
【発明が解決しようとする課題】
しかし従来の構成のジャーポットは、貯湯した湯が無くなるまでは待ち時間無しに使用できるものの、使い切ると人が貯水し、設定温度に加熱されるまで待たされる、また近年貯湯量が増加の傾向にあり保温電力が大きいなどの課題があった。また水道水に不満を持ち浄水器を使用する人が増加の傾向にある。
【０００４】
【課題を解決するための手段】
本発明はこの様な従来の構成が有している課題を解決するもので、水道直結により自動給水しながら浄水後の水を加熱し所定温度の湯を徐々に貯湯した湯あるいは浄水を使用するものである。人による給水が不要な少量の湯であれば待ち時間の少ない、また最大貯湯量を抑え保温電力が小さい浄水給湯器としているものである。
【０００５】
【発明の実施の形態】
請求項１に記載した発明は、水道管に接続され水が通る水管と、前記水管に接続され水を止水する止水手段と、前記止水手段に接続され水を浄水する浄水手段と、前記浄水手段に接続され浄水吐出側あるいは給水管側に流路を切り換える流路切り換え手段と、前記給水管に接続され湯を貯める貯湯容器と、前記給水菅に接続され貯湯容器内上部の貯水容器より底部に水を通し吐出する案内水管と、前記貯湯容器は水を加熱する加熱手段と、湯温を検知す温度検知手段と、湯を吐出部まで移送するポンプと、蒸気を抜く開口部と、第１の所定の水位を検知する第１水位検知手段とを有し、前記温度検知手段の出力と前記第１水位検知手段の出力とを入力し、前記止水手段と前記流路切り換え手段と前記加熱手段と前記ポンプとを制御する制御手段とを備え、制御手段は運転開始時所定水位まで給水し湯温が前記第１の所定温度になるまで出湯させない浄水給湯器であって、前記案内水管は、底部に所定の流路断面積を有し、前記貯水容器近傍に空気抜き手段を有することにより所定温度未満の湯は出湯されず所定温度の湯が得られる、人による給水が不要な少量の湯であれば待ち時間の少ない、また最大貯湯量を抑え保温電力が小さい浄水給湯器としている。
【０００６】
また、給水管に接続され貯湯容器内上部より底部に水を通し吐出する案内水管を備えることにより加熱手段は給水時温度の低い水と接触するので熱伝達の良い、また上部の湯と水が混ざりにくく湯の温度変化の小さな浄水給湯器としている。
【０００７】
また、給水管に接続され底部に所定の流路断面積を有する吐出口あるいは案内水管を有し、貯湯容器内上部に貯水する貯水容器を備えることにより水道から供給される流量が大きな場合も貯湯容器には小さな流量で給水する事が可能な湯温変化が小さなあるいは止水回数の少ない浄水給湯器としている。
【０００８】
また、案内水管は、水管内の空気を抜く空気抜き手段を設けたことにより水管内に空気が貯まらずに水が落下することが可能な水切れのない浄水給湯器としている。
【０００９】
【実施例】
以下本発明の実施例について図を参照しながら説明する。
【００１０】
（実施例１）
図１に基づいて実施例１について説明する。１は家庭内に配管され水道水が流れる水道管である。２は水道管１に接続される水管であり、その経路には止水手段３を有し、浄水手段４を介して流路切り換え手段５に接続される。止水手段３は水道水を通水あるいは止水する電磁弁等で構成される。浄水手段４は水道水を浄化する活性炭及び中空止膜等で構成される。流路切り換え手段５の入水側は共通で浄水手段４に接続され出水側の１方は浄水吐出６に、他方は給水管７を介して貯湯容器１６内上部に吐出する吐出口８に接続され、浄化後の水を吐出あるいは貯湯容器１６に給水するものでモータ式の三方弁あるいは電磁弁２個の組み合わせ等で構成される。１１は貯湯容器１６底部に設置された温度検知手段でサーミスタ等で構成される。１２は貯湯容器１６底部に設置されたされた加熱手段でヒータ等で構成される。流出管１３はポンプ１４を有し、湯の吐出部１５に接続される。９は貯湯容器１４の上部に設けられた蒸気抜き用の開口部である。１０は貯湯容器上部側面に設置された第１の所定の水位あるいは貯水量を検知する第１水位検知手段で所定の間隔を保持する２つの電極の組み合わせあるいは浮きとフォトダイオードとフォトトランジスタ等の組み合わせ等で構成される。温度検知手段１１と第１水位検知手段１０とは入力手段１７を介して制御手段１８に接続される。止水手段３と流路切り換え手段５と加熱手段１２とポンプとは出力手段１９を介して制御手段１８に接続される。
【００１１】
上記構成の動作を説明する。
【００１２】
記載してない浄水スイッチを操作すると制御手段１８は流路切り換え手段を浄水吐出６側に切り換え止水手段３を通水し水道水は浄水手段４で浄化され吐出する。制御手段１８は運転開始時流路切り換え手段５を給水管７側に切り換え、止水手段３を通水し第１の水位手段１０の第１の所定水位まで貯湯容器に給水し、止水手段３を止水し浄化後の水を加熱手段１２で加熱し底部の温度検知手段１１の第１の所定温度になると加熱を停止し記載してない給湯可能を表示あるいはブザー等で報知する。給湯可能時に記載していない給湯スイッチを操作すると制御手段はポンプを動作させ第１の所定温度の湯を吐出部１５から吐出する。運転中に湯を使用して湯量が第１の所定水位より減ると制御手段１８は流路切り換え手段５を給水管７側に切り換え止水手段３を通水し貯湯容器１６に浄化後の水を給水し温度検知手段１１の湯温が第２所定温度に降下するまたは第１水位検知手段１０の第１の所定水位の湯量が貯湯されると止水手段３を止水させ加熱手段１２で湯温が第１の所定温度になるまで加熱する。利用したい湯の温度が低いと出湯を禁止して加熱手段１２で湯を再加熱し所定温度に上昇させて出湯可能になる。１回の使用から十分に間を置くと第１の所定量の湯が貯湯されているのでジャーポットと比較して少量の貯湯であるが困らない。また少量でよければ加熱あるいは保温しながら所定温度の湯を貯湯するので貯湯中であっても所定温度の湯が使用可能である。よって使い勝手が良い。
【００１３】
（参考例１）
図２に基づいて参考例１について説明する。なお、上記の実施例１と同じ構成のものは同一符号を付して説明を省略する。
【００１４】
２０は貯湯容器１６に浄化後の水を給水する給水管７に設置された水道圧が高い地域でも流量を所定流量以下に制限する流量制限手段でダイアフラムと流路径をを絞ったオリフィス等で構成される。
【００１５】
上記構成において動作を説明する。
【００１６】
運転中に貯湯容器１６の湯量が減ると湯温よりも低い水がが流量制限手段２０を介して少流量で給水されるので貯湯容器への給水時湯温の変化を小さくあるいは止水回数を少なくする事が可能である。
【００１７】
（実施例２）
図３に基づいて実施例２について説明する。なお、上記の実施例１あるいは参考例１と同じ構成のものは同一符号を付して説明を省略する。
【００１８】
２１は給水管７の吐出口８に接続され貯湯容器１６の底部に水を通し吐出する案内水管である。
【００１９】
上記構成において動作を説明する。
【００２０】
運転中に貯湯容器１６の湯量が減ると湯温よりも低い水が案内水管２１を介して加熱手段１２の近くに吐出されるので加熱手段１２は給水時温度の低い水と接触するので熱伝達を良く、また上部の湯と水が混ざりにくく湯の温度変化を小さくする事が可能である。
【００２１】
（参考例２）
図４に基づいて参考例２について説明する。なお、上記の実施例１、参考例１、実施例２と同じ構成のものは同一符号を付して説明を省略する。
【００２２】
２２は案内水管２１の周囲を断熱する津する断熱手段で防水性の断熱シートあるいは真空または空気を密封した二重構造等で構成される。
【００２３】
上記構成において動作を説明する。
【００２４】
運転中に貯湯容器１６の湯量が減ると湯温よりも低い水が断熱手段２２を有する案内水管２１を通過するので上部の湯と水が混ざりにくく湯の温度変化を小さくする事が可能である。
【００２５】
（実施例３）
図５に基づいて実施例３について説明する。なお、上記の実施例１、２、参考例１、２と同じ構成のものは同一符号を付して説明を省略する。
【００２６】
２４は側面に入力手段１７を介して制御手段１８に接続される第２の所定水位を検知する第２水位検知手段を有し、底部に断熱手段２２を有し貯湯容器１６の底部に通水吐出する所定の流路断面積を有する案内水管２１を有し給水管７の吐出口８に接続される貯水容器である。
【００２７】
上記構成において動作を説明する。
【００２８】
運転中に貯湯容器１６に水道から供給される流量が大きな場合も底部に通水される流量はすくないので貯湯容器には小さな流量で給水する事が可能な湯温変化を小さくあるいは止水回数を少なくできる。また制御手段は貯水容器に所定量以上の水が貯まると給水を停止することにより貯水容器の水が溢れるのを防ぐことが可能である。
【００２９】
【発明の効果】
請求項１に記載した発明は、水道管に接続され水が通る水管と、前記水管に接続され水を止水する止水手段と、前記止水手段に接続され水を浄水する浄水手段と、前記浄水手段に接続され浄水吐出側あるいは給水管側に流路を切り換える流路切り換え手段と、前記給水管に接続され湯を貯める貯湯容器と、前記給水菅に接続され貯湯容器内上部の貯水容器より底部に水を通し吐出する案内水管と、前記貯湯容器は水を加熱する加熱手段と、湯温を検知す温度検知手段と、湯を吐出部まで移送するポンプと、蒸気を抜く開口部と、第１の所定の水位を検知する第１水位検知手段とを有し、前記温度検知手段の出力と前記第１水位検知手段の出力とを入力し、前記止水手段と前記流路切り換え手段と前記加熱手段と前記ポンプとを制御する制御手段とを備え、制御手段は運転開始時所定水位まで給水し湯温が前記第１の所定温度になるまで出湯させない浄水給湯器であって、前記案内水管は、底部に所定の流路断面積を有し、前記貯水容器近傍に空気抜き手段を有することにより所定温度未満の湯は出湯されず所定温度の湯が得られる、人による給水が不要な少量の湯であれば待ち時間の少ない、また最大貯湯量を抑え保温電力が小さい浄水給湯器を実現することができる。
【００３０】
また、給水管に接続され貯湯容器内上部より底部に水を通し吐出する案内水管を備えることにより加熱手段は給水時温度の低い水と接触するので熱伝達の良い、また上部の湯と水が混ざりにくく湯の温度変化の小さな浄水給湯器を実現することができる。
【００３１】
また、給水管に接続され底部に所定の流路断面積を有する吐出口あるいは案内水管を有し、貯湯容器内上部に貯水する貯水容器を備えることにより水道から供給される流量が大きな場合も貯湯容器には小さな流量で給水する事が可能な湯温変化が小さなあるいは止水回数の少ない浄水給湯器を実現することができる。
【００３２】
また、案内水管は、水管内の空気を抜く空気抜き手段を設けたことにより水管内に空気が貯まらずに水が落下することが可能な水切れのない浄水給湯器を実現することができる。
【図面の簡単な説明】
【図１】  本発明の第１の実施例の浄水給湯器の構成を示す説明図
【図２】  本発明の第１の参考例の浄水給湯器の構成を示す説明図
【図３】  本発明の第２の実施例の浄水給湯器の構成を示す説明図
【図４】  本発明の第２の参考例の浄水給湯器の構成を示す説明図
【図５】  本発明の第３の実施例の浄水給湯器の構成を示す説明図
【符号の説明】
１      水道管
２      水管
３      止水手段
４      浄水手段
５      流量切り換え手段
６      浄水吐出
７      給水管
８      吐出口
９      開口部
１０    第１水位検知手段
１１    温度検知手段
１２    加熱手段
１３    流出管
１４    ポンプ
１５    吐出部
１６    貯湯容器
１７    入力手段
１８    制御手段
１９    出力手段
２１    案内水管
２４    貯水容器
２５    空気抜き穴（空気抜き手段）
【図１】
0004096471.tif 000002
【図２】
0004096471.tif 000003
【図３】
0004096471.tif 000004
【図４】
0004096471.tif 000005
【図５】
0004096471.tif 000006